(57)【特許請求の範囲】
【請求項１】
供給された原水を浄水器本体に導いて浄化し、浄化された水を浄水器本体に取り付けられた吐水管から吐出するようになし、該浄水器本体を所定角度だけ水平方向に回動可能となすとともに、吐水管を浄水器本体の側面に設けて垂直方向に回動可能となした据置型浄水器において、前記浄水器本体は、本体カバーと、原水を浄化するためのカートリッジ組立体と、下側ベース部材と、上側ベース部材とを有し、該下側ベース部材は中央部に前記カートリッジ組立体の入水口に接続される入水ノズルを備えるとともに外周部に該入水ノズルに連なる原水供給口を備え、上側ベース部材は前記下側ベース部材の入水ノズルの周囲に係合されて前記下側ベース部材に対して所定角度だけ回動可能に取り付けられ、かつ前記本体カバーは前記上側ベース部材に取り外し可能に取り付けられていることを特徴とする据置型浄水器。
【請求項２】
前記カートリッジ組立体の上端出水口は前記本体カバーに固定された円筒部材の一端に水密に嵌合するとともに該円筒部材の他端は前記吐水管に接続し、また前記カートリッジ組立体の下端入水口は前記下側ベース部材の入水ノズルに水密に回動可能に嵌合するとともに該カートリッジ組立体の外部を上側ベース部材に固定し、本体カバーを回動させると前記カートリッジ組立体も回動するようにしたことを特徴とする請求項１に記載の据置型浄水器。
【請求項３】
前記カートリッジ組立体の上端出水口は前記本体カバーに固定された円筒部材の一端内に水密に回動可能に嵌合するとともに該円筒部材の他端は前記吐水管に接続し、また前記カートリッジ組立体の下端入水口は前記下側ベース部材の入水ノズルに水密に嵌合するとともに該カートリッジ組立体の外部を下側ベース部材に固定し、前記本体カバーを回動させても前記カートリッジ組立体は回動しないようにしたことを特徴とする請求項１に記載の据置型浄水器。
【請求項４】
前記本体カバーの下端近傍に円周方向に複数箇所、内側に向けて２個ずつの突起部を設け、上側ベース部材の所定位置に設けられた切り欠き部に前記カバーの複数箇所の突起部をそれぞれ嵌合させた後に、該本体カバーを該上側ベース部材とともに回動終端地点まで回動させて、前記本体カバーの突起部より上側の部分を上側ベース部材に設けられた径大部により係止し、前記本体カバーが上側ベース部材から抜けないようになしたことを特徴とする請求項１〜３のいずれか１項に記載の据置型浄水器。
【請求項５】
前記上側ベース部材には、その外周に少なくとも１つのロック用凸部を設け、前記本体カバーを更に回動させることにより、前記複数箇所にそれぞれ設けられた２個の突起のうちの一方を前記ロック用凸部を乗り越させて、該ロック用凸部が前記２個の突起部の間に位置するようになしたことを特徴とする請求項４に記載の据置型浄水器。
【請求項６】
前記カートリッジ組立体の外表面には少なくとも１対の垂直方向に延びるリブを設け、前記本体カバーの内側に設けられた２個ずつの突起部が前記リブの間を摺動できるようになして該本体カバーの取り付け時にガイドの役割を果たすようになしたことを特徴とする請求項４に記載の据置型浄水器。
【請求項７】
前記吐水管は、所定角度の間にわたり所定の間隔で係止固定するためのラチェット機構を有していることを特徴とする請求項１〜６のいずれか１項に記載の据置型浄水器。
【請求項８】
前記原水供給口にＬ型ニップルが垂直方向に回動可能に取り付けられていることを特徴とする請求項１〜７のいずれか１項に記載の据置型浄水器。
【発明の詳細な説明】
【０００１】
【発明の属する技術分野】
本発明は、水道水等の原水をセラミックフィルターや中空糸フィルター等の濾過部材及び活性炭等の吸着部材等からなる浄水機構を通して浄水を得るための浄水器に関し、特に吐水管を有する据置型浄水器に関する。
【０００２】
【従来の技術】
現在市販されている浄水器には、大別して浄水機構を水道の蛇口に取り付ける形式のものと蛇口から離れた位置に載置する据置型のものが存在する。
【０００３】
水道の蛇口に取り付ける形式の浄水器は、浄水機構を内蔵したカートリッジと、水道水をストレートに流す場合と浄水を吐出する場合とに切り替えるための切換コックとを有する浄水器本体を水道の蛇口に直接取り付けるものであるから、水道の蛇口の強度と取扱いの都合上、浄水機構を内蔵したカートリッジの大きさに限りがあるため、浄水能力は小さく、もっぱら家庭用に使用されている。
【０００４】
それに対して、据置型のものは、水道の蛇口に水道の原水をストレートに流す場合と浄水を得る場合とを切り替えるための切換コックを設ける必要があるとはいえ、浄水器本体を大型のものとすることにより浄水能力を適宜に大きくすることが可能であるため、大量の浄水を使用する家庭や業務用として使用されている。
【０００５】
そして、この据置型の浄水器においては、得られた浄水を水道の蛇口にまで戻してこの部分で浄水を吐出するようになしたものと、浄水器自体に吐水管を取り付けてその吐水管から浄水を吐出するようになしたものとが存在し、ユーザーの好みにより適宜に選択して使用されている。
【０００６】
特に後者の吐水管を有する据置型浄水器においては、浄水器自体が大きく重いために、簡単には動かせないので、浄水の供給方向を変えるためには吐水管自体を水平方向に回動可動とすることが行われていた。例えば、特開平１１−４７７３１号公報に記載されているものがその一例である。以下、この公知の据置型浄水器を図６及び７を用いて説明する。
【０００７】
前記公知の据置型浄水器１００は、水道などの蛇口１０２に直接接続される流路切換器１０４と、原水を浄化する浄水器本体１０６と、流路切換器と浄水器本体を連通接続し原水を浄水器本体へ導くホ−ス１０８とより構成され、流路切換器１０４はその原水入り口がナット１１０を介して蛇口１０２に接続されている。
【０００８】
流路切換器１０４は、下端が原水出口、後端は送水口となっており、この送水口には前記ホース１０８が接続され、更に、流路切換器１０４の内部には図示しない流路切換弁が収納され、流路切換器１０４の側部に設けられたレバー１１２により流路切替弁を操作して、蛇口１０２からの原水を原水出口からそのまま放出する状態とホース１０８を介して浄水器本体１０６に導く状態とに切り換えられるようになされている。
【０００９】
浄水器本体１０６は、図７に示すように、有底円筒状の外枠１１４と、フィルターユニット１１６を支持して外枠１１４にはめ込まれる上蓋１１８と、吐水管１２０とから構成されており、外枠１１４は、上端が開口され、下端に円盤状の底板１２２が固着されている。そして、下端中央部において流水路が設けられたＬ形の入水ノズル１２４の一端が、外枠１１４の底部に形成された開口穴１２６に水密状態に装着されるとともに、底板１２２により回動可能に支持されて、この入水ノズル１２４の他端に設けられた入水口１２８にホース１０８が連通接続されている。
【００１０】
上蓋１１８は、その下端にフィルター支持板１３０を介してフイルターユニット１１６が取り付けられており、また、外枠１１４に着脱可能に装着されている。フイルター支持板１３０は、上端中央部から径方向へ導出されたＬ形の流水口１３２を備えるとともに、下端中央部に開口された短い筒状の凸部１３４を備え、その凸部１３４の内周面にフイルターユニット１１６の上端出水口１３６が着脱可能に連結されている。また、フイルターユニット１１６の下端入水口１３８は、前記入水ノズル１２４の外周面に着脱可能に連結されている。
【００１１】
更に、浄水路を有するＬ形の連結ノズル１４０の一端が、上蓋１１８の上部外周面に形成された半円状の開口部１４２から上方へ突設され、かつ、この連結ノズル１４０の他端が前記フィルタ支持板の流水口１３２に連結され、また、開口部１４２から突設された連結ノズル１４０は、一部が上蓋内側面に、残部が上蓋外側面に膨出している。
【００１２】
そして、Ｌ型の吐水管１２０の基端部が、連結ノズル１４０の導出端に連結されるとともに、連結ノズルの中心軸ａにおいて回動可能に支持され、また吐水管１２０の先端は下方に屈曲している。
【００１３】
【発明が解決しようとする課題】
従って、この公知の浄水器本体１０６においては、浄水の供給位置を吐水管１２０の先端が位置する高さにおいて、軸ａを中心とした水平面内の所定角度範囲内で広範囲に変えることができるが、この吐水管１２０は垂直方向には回動することができないために、高さが高い容器内に浄水を供給する際には供給し難い場合があり、逆に高さが低い容器に浄水を供給する際には、該容器を床面へ置くと周囲に水はねが生じるおそれがあるために、常に手で容器を支持する必要があり、更には、浄水の供給を停止している間に吐水管１２０を回動すると、吐水管内に残っていた浄水が吐水管先端から垂れてしまい、周囲を水浸しにしてしまう虞がある等の問題点が存在していた。
【００１４】
発明者らは、前記従来例の浄水器本体の有する問題点を解決すべく種々実験を加えた結果、吐水管自体を垂直方向に回動させる構成を採用すれば、浄水の供給を停止している間に吐水管を動かしても水垂れが生じる虞が無くなることを見出したが、吐水管自体を垂直方向のみでなく左右にも回動するようになすと、その回動機構は、いわゆる多関節構造となり、構成が複雑になるためにその部分で水漏れが生じる虞が大きくなるとともに吐水管先端を所望位置に停止・固定することが困難になる等の理由で採用し難かった。
【００１５】
なお、卓上魔法瓶や卓上電気ポット等においては本体を回動可能とすることにより給湯ノズルを水平方向に３６０度自由に回動するようになす構成は周知であるが、これらの構成は、外部に何も接続されていない場合或いは外部に接続されているものが電気コードのような柔軟性があるものの場合には、電気コードが電気ポットの動きに追従可能であるため、適用可能であるが、本発明の据置型浄水器のように剛性がある給水ホースが浄水器本体に取り付けられているものに対して適用すると、浄水器本体の水平方向の回動に伴い給水ホースも動いて周囲の物品と接触したり、或いは給水ホースの剛性のために浄水器本体の回動が元の位置に戻ってしまったりするために、そのままでは適用することはできなかった。
【００１６】
【課題を解決するための手段】
そこで発明者らは種々実験を重ねた結果、実際に据置型浄水器に必要とされる水平方向の回動範囲は、周知の卓上魔法瓶ないしは電気ポットで採用されている回動範囲と比すると非常に狭い範囲で十分であることから、据置型の浄水器では従来採用されたことの無かった給水ホースを動かすことなく浄水器本体を水平方向に所定角度範囲内で回動できる構成を採用することができれば、吐水管自体は垂直方向にのみ回動できる構成を採用することによって、吐水管の位置を垂直方向及び水平方向に容易に移動させることができ、容易に所望の位置に固定することができることを見出し、本発明を完成するに至ったものである。
【００１７】
すなわち、本発明は、剛性がある給水ホースが取り付けられている据置型浄水器において、給水ホースを動かすことなく吐水管の位置を水平方向のみでなく垂直方向へも動かすことができ、しかも構成が簡単であり、かつ水漏れの虞も少ない、据置型浄水器を提供することを目的とする。
【００１８】
本発明の前記目的は以下の構成を採用することにより達成することができる。
【００１９】
すなわち、本発明の一実施態様においては、供給された原水を浄水器本体に導いて浄化し、浄化された水を浄水器本体に取り付けられた吐水管から吐出するようになし、該浄水器本体を所定角度だけ水平方向に回動可能となすとともに、吐水管を浄水器本体の側面に設けて垂直方向に回動可能となした据置型浄水器において、前記浄水器本体は、本体カバーと、原水を浄化するためのカートリッジ組立体と、下側ベース部材と、上側ベース部材とを有し、該下側ベース部材は中央部に前記カートリッジ組立体の入水口に接続される入水ノズルを備えるとともに外周部に該入水ノズルに連なる原水を供給するための原水供給口を備え、上側ベース部材は前記下側ベース部材の入水ノズルの周囲に係合されて前記下側ベース部材に対して所定角度だけ回動可能に取り付けられ、かつ前記本体カバーは前記上側ベース部材に取り外し可能に取り付けられている据置型浄水器が提供される。係る態様によれば、回動機構が簡単となるとともに、下側ベース部材は固定された状態で、上側ベース部材及び本体カバーが水平方向に回動することができるため、下側ベース部材の原水供給口に接続される給水ホースも動くことがなく、吐水管を水平方向に回動させた場合に生ずる水垂れが生じることが無くなり、さらに、カートリッジ組立体を容易に交換できるようになる。
【００２０】
その際、前記カートリッジ組立体の上端出水口を前記本体カバーに固定された円筒部材の一端に水密に嵌合するとともに該円筒部材の他端は前記吐水管に接続し、また前記カートリッジ組立体の下端入水口を前記下側ベース部材の入水ノズルに水密に回動可能に嵌合するとともに該カートリッジ組立体の外部を上側ベース部材に固定し、本体カバーを回動させると前記カートリッジ組立体も回動するようになしてもよいし、或いは、前記カートリッジ組立体の上端出水口を前記本体カバーに固定された円筒部材の一端内に水密に回動可能に嵌合するとともに該円筒部材の他端は前記吐水管に接続し、また前記カートリッジ組立体の下端入水口を前記下側ベース部材の入水ノズルに水密に嵌合するとともに該カートリッジ組立体の外部を下側ベース部材に固定し、前記本体カバーを回動させても前記カートリッジ組立体は回動しないようになしてもよい。
【００２１】
本発明の別の態様によれば、前記本体カバーの下端近傍に円周方向に複数箇所、内側に向けて２個ずつの突起部を設け、上側ベース部材の所定位置に設けられた複数箇所の切り欠き部に前記カバーの複数箇所の突起部をそれぞれ嵌合させた後に、該本体カバーを該上側ベース部材とともに回動終端地点まで回動させ、前記本体カバーの突起部より上側の部分を上側ベース部材に設けられた径大部により係止し、前記本体カバーが上側ベース部材から抜けないようになした据置型浄水器が提供される。係る構成によれば本体カバーを上側ベース部材に容易に取り付け及び取外すことができる。
【００２２】
本発明の更に別の態様によれば、前記上側ベース部材は、その外周に少なくとも１つのロック用凸部を設け、前記本体カバーを更に回動させることにより、前記複数箇所にそれぞれ設けられた２個の突起のうちの一方を前記ロック用凸部を乗り越させて、該ロック用凸部が前記２個の突起部の間に位置するようになした据置型浄水器が提供される。係る態様によれば、前記本体カバーと上側ベース部材との結合が強固となり、両者は使用中に一体となって回動できるようになる。
【００２３】
更に、本発明の別の態様によれば、前記カートリッジ組立体の外表面には少なくとも１対の垂直方向に延びるリブを設け、前記本体カバーの内側に設けられた２個ずつの突起部が前記１対のリブの間を摺動できるようになして該本体カバーの取り付け時にガイドの役割を果たすようにすることが望ましい。かかる構成によればカートリッジ組立体を装着した後に本体カバーを取り付ける際にスムーズに取り付けることができるようになる。
【００２４】
また、本発明においては、前記吐水管が所定角度の間にわたり所定の間隔で係止固定するためのラチェット機構を有するものとすることが望ましい。係る態様によれば、吐水管が所定位置にある程度強固に固定されるために、浄水の吐出圧力により回動してしまう虞がなくなる。
さらに、本発明においては、前記下側ベース部材の原水供給口にＬ型ニップルを垂直方向に回動可能に取り付けることが望ましい。このようにすることにより剛性のある給水ホースの引き回しを容易にすることができる。
【００２５】
【発明の実施の形態】
以下、本発明の具体例を図面を用いて説明するが、この図面に示したものはあくまでも本発明の理解のためのものであって、本発明をこの具体例のみに限定することを意図するものではない。なお、図１は本発明の据置型浄水器において本体カバーの上端部を除外した状態の平面断面図であり、図２は図１におけるＡ−Ａ線正面断面図、図３は図１におけるＢ−Ｂ線側面断面図であり、また図４は図２の部分拡大図であり、図５（Ａ）は上側ベース部材外周部側面の一部拡大図であり、図５（Ｂ）は本体カバーを含んだ図５（Ａ）のＣ−Ｃ線断面図である。
【００２６】
図１〜３を参照すると、本発明の浄水器本体１０は、下側ベース部材１２及び上側ベース部材１４とからなるベース部材１６と、該ベース部材１６に回動可能に係合された上部が閉鎖されてなる本体カバー１８と、該本体カバー１８内に設けられたカートリッジ組立体２０と、浄水を吐出する吐水管２１とからなる。なお、本発明で使用するカートリッジ組立体１８は、セラミック濾材、中空糸濾材等の濾過材料、活性炭、イオン交換樹脂、イオン交換繊維等の吸着剤、その他ミネラル付与成分等、必要に応じて浄水器のカートリッジ組立体に使用される周知のものを適宜組み合わせて採用することができる。
【００２７】
下側ベース部材１２には、滑り止め及び載置面の傷防止の目的で底部より足ゴム２２が数カ所、好適には４カ所、ねじ２４により固定されており、更に、下側ベース部材１２は、外周側に本体カバー１８の外周面が回動可能に摺接し得る円筒状の立ち上がり部２６と、そのすぐ内側の本体カバー１８を受け止めるための肩部からなるカバーホルダー２７と、内周面に上側ベース部材１４を回動可能に支持する円弧状凸部２８と、更に中心部に入水ノズル３０を備え、この入水ノズル３０は入水口３２、この入水口３２に水密に回動可能に取り付けられたＬ型ニップル３４及び給水ホース３６を介して水道水等の原水源に接続されるようになっている。なお、Ｌ型ニップル３４はＬ型に曲げられた他端部が垂直方向に３６０度回動可能となされており、給水ホース３６はホース固定ナット３８を介して前記Ｌ型ニップル３４に固定され、また、前記円弧状凸部２８は入水口３２の部分と重ならないように円弧状に、好ましくは約２７０度の中心角を有する円弧状に設けられている。
【００２８】
この下側ベース部材１２の円弧状凸部２８の上部には、上側ベース部材１４の円弧状凹部２９が回動可能に係合されており、この上側ベース部材１４は、下側ベース部材１２の入水ノズル３０の上端部に外方へ向かって水平に延びているホルダ固定リング４０によって下側ベース部材１２とは分離しないように固定されつつ、下側ベース部材上を回動可能となされており、その円弧状凹部２９の中心角度は下側円弧状凸部２８の中心角度よりも小さく、好ましくは約１５０度に設けられている。
【００２９】
つまり、上側ベース部材は、下側ベース部材に対して両者の中心角度の差だけ、例えば前記の好ましい例では約１２０度だけ回動可能となるわけである。なお、下側ベース部材１２に上側ベース部材１４を組み合わせるには、最初に下側ベース部材１２をホルダ固定リング４０がない状態で作製しておき、上側ベース部材を組み合わせた後に前記ホルダ固定リング４０を入水ノズル３０の頂部に超音波溶接などにより固定することにより作製すればよい。
【００３０】
ここで、図４及び図５を用いて本体カバー１８のベース部材１６への固定構造を説明する。本体カバー１８の下端近傍には円周方向に複数箇所、好ましくは４カ所にわたり、それぞれ円周方向に内側に向けて２個ずつの突起部４２を設け、上側ベース部材１４の所定位置に設けられた切り欠き部４１に前記カバーの複数箇所の突起部４２をそれぞれ嵌合させて本体カバー１８の下端をカバーホルダー２７に当接させ、その後該本体カバー１８を該上側ベース部材１４とともに一方の回動終端地点近くまで回動させると、途中で上側ベース部材の回動は前記所定回動範囲に達するので停止するが、本体カバー１８を更に回動させると前記本体カバー１８の突起部４２が上側ベース部材１４に設けられた径大部４３により係止されるために、前記本体カバー１８を外すことができなくなる。
【００３１】
更に、本体カバー１８を同じ方向へ回動すると、前記前記本体カバー１８の複数箇所にそれぞれ設けられた２個の突起部４２のうちの一方が上側ベース部材１４の外周面上に設けられたロック用凸部４４を乗り越えてストッパー４５に当接し、図５（Ｂ）に示すように該ロック用凸部４４が前記２個の突起部４２の間に位置するようになる。なお、前記２個の突起部４２は、それぞれ同じ大きさであっても異なる大きさであってもよく、図５（Ｂ）には異なる大きさとなしたものを例示してある。
【００３２】
そうすると、本体カバー１８と上側ベース部材１４とは一体となって下側ベース部材１２上を所定角度範囲で、具体的には前記ロック用凸部４４を乗り越える突起部４２の占める中心角だけ少ない角度だけ、例えば前記の好ましい具体例では約９０度だけ、回動可能となる。
【００３３】
図１に示すように、本体カバー１８と下側ベース部材１２の間に相対的な位置決めが必要な場合は、本体カバー１８の複数箇所に２個ずつ設けられた突起部４２の内、少なくとも１箇所の突起部を複数箇所に対応した等配位置から円周方向に適宜ずらし、さらに上側ベース部材の切り欠き部４１、ロック用凸部４４及びストッパー４５の位置も対応して円周方向にずらせばよい。
【００３４】
本体カバー１８を上側ベース部材１４から取り外す際には、前記の方法とは逆に回動させて、その回動終端地点において更に本体カバー１８を同じ方向に更に回動させることにより、本体カバー１８の複数箇所の２個ずつの突起４２がそれぞれ上側ベース部材１４の径大部４３の位置から移動して切り欠き部４１の位置に達するので、取り外すことが可能となる。
【００３５】
また、図示はしなかったが、カートリッジ組立体１８の外表面には少なくとも１対の垂直方向に延びるリブが設けられ、前記本体カバー１８の内側に設けられた２個ずつの突起４２が該１対のリブの間を摺動できるようになしてある。そうすると、本体カバー１８の取り付けに際して該リブがガイドの役割を果たし、本体カバーをスムーズに取り付けることができる。
【００３６】
この本体カバー１８の上側部分には該本体カバー１８に固定されて一緒に回動する浄水コネクタプレート４６が設けられ、この浄水コネクタプレート４６はカートリッジ組立体２０の上端出水口４７をＯリングを介して水密に嵌合する短い円筒部材４８を備えており、またこの円筒部材４８の他端には連結管５０を介して吐水コネクタ５６が接続されている。
【００３７】
一方、カートリッジ組立体２０の下端の入水口５１は、逆止弁５２を有し、下側ベース部材１２の入水ノズル３０内に水密に嵌合され、給水ホース３６を介して供給された水道水等の原水がＬ型ホースニップル３４、下側ベース部材１２の入水口３２、入水ノズル３０及び逆止弁５２を経て供給されるようになされ、また、このカートリッジ組立体２０で浄化された原水はその上端出水口４７を介して、浄水コネクタプレート４６の開口、連結管５０及び吐水コネクタ５６を経て吐水管２１の出口端より吐出されるようになっている。
【００３８】
また、このカートリッジ組立体２０の下端には、突起状部５３（図２参照）が形成され、この突起状部５３が上側ベース部材１４に設置された筒状部５４に係合されるので、本体カバー１８を上側ベース部材１４とともに回動すると、前記短い円筒部材４８及びカートリッジ組立体２０は前記本体カバー１８に取り付けられた吐水管２１とともに回動し、連動してカートリッジ組立体２０も上側ベース部材１４とともに回動する。
【００３９】
また、吐水管２１は、先端部がＬ字状に曲げられており（図示せず）、前記連結管５０を介して本体カバー１８の側面に固定された吐水コネクタ５６に垂直方向に回動可能に取り付けられている。更に、この吐水コネクタ５６は、ラチェットキー５８、スナップリング６０及びキャップ６２を備えており、吐水管２１は本体カバー１８の側面を３６０度回動可能に取り付けられているが、所定の角度範囲、好ましくは吐水管２１が垂直軸に対して約４５度から１８０度の位置の間で所定角度ずつラチェットキー５８により係止固定されるようになすことが望ましい。このようにすることにより、吐水管２１は下向き約４５度から真上までの間で所定角度ずつ固定されることとなり、クリック感が与られると共に浄水吐出の勢いで吐水管２１が自然に回動することがなくなる。
【００４０】
なお、前記の実施例においては、前記カートリッジ組立体２０の上端出水口４７には前記本体カバー１８に固定された円筒部材４８の一端を水密に回動可能に取り付けるとともに該円筒部材４８の他端を前記吐水管２１に接続し、また前記カートリッジ組立体２０の下端入水口５１には前記下側ベース部材１２の入水ノズル３０を水密に固定し、前記本体カバー１８を回動すると前記カートリッジ組立体２０も回動するようになしたものを示したが、必ずしもこれに限られるものではなく、前記カートリッジ組立体２０の上端出水口４７には前記本体カバー１８に固定された円筒部材４８の一端を水密に固定するとともに該円筒部材４８の他端を前記吐水管２１に接続し、また前記カートリッジ組立体２０の下端入水口５１には前記下側ベース部材１２の入水ノズル３０を水密に回動可能に取り付け、前記カートリッジ組立体２０の下端入水口５１と前記下側ベース部材１２の入水ノズル３０との間を適宜の部材により係合させることで、前記本体カバー１８を回動させても前記カートリッジ組立体２０は回動しないようになしてもよいことは勿論のことである。
【００４１】
この後者の構成は、前記カートリッジ組立体２０の下端入水口５１のＯリングが浄水器本体の原水圧力の高い側に取り付けられているが、前記Ｏリングが前記下側ベース部材１２の入水ノズル３０に前記Ｏリングの外形が摺動しないように設置されているので、大型のカートリッジ組立体を使用した浄水器などの場合でも回動に必要とする力が小さくて好ましい。
【００４２】
【発明の効果】
以上説明したように本発明によれば、剛性がある給水ホースが取り付けられている据置型浄水器において、給水ホースを動かすことなく吐水管の位置を水平方向のみでなく垂直方向へも動かすことができ、しかも構成が簡単であり、かつ水漏れないしは水垂れの虞も少ない、据置型浄水器が得られる。
【図面の簡単な説明】
【図１】本発明の据置型浄水器において本体カバーの上端部を除外した状態の平面断面図である。
【図２】図２は、図１におけるＡ−Ａ線正面断面図である。
【図３】図３は、図１におけるＢ−Ｂ線側面断面図である。
【図４】図４は、図２の一部拡大断面図である。
【図５】図５（Ａ）は上側ベース部材外周部側面の一部拡大図であり、５図（B）は本体カバーを含んだ図５（Ａ）のＣ−Ｃ線断面図である。
【図６】図５は、従来例の据置型浄水器の一例を示す図である。
【図７】図７は、図６の従来例の据置型浄水器の側面断面図である。
【符号の説明】
１０    浄水器本体
１２    下側ベース部材
１４    上側ベース部材
１８    本体カバー
２０    カートリッジ組立体
２１    吐水管
２８    円弧状凸部
２９    円弧状凹部
３０    入水ノズル
３４    Ｌ型ニップル
４０    ホルダ固定リング
４６    浄水コネクタプレート
４７    上端出水口
４８    円筒部材
５１    入水口
５２    逆止弁
５３    突起状部
５４    筒状部
５６    吐水コネクタ
６２    キャップ
【図１】
0004213401.tif 000002
【図２】
0004213401.tif 000003
【図３】
0004213401.tif 000004
【図４】
0004213401.tif 000005
【図５】
0004213401.tif 000006
【図６】
0004213401.tif 000007
【図７】
0004213401.tif 000008